(57)【特許請求の範囲】
【請求項１】
カードリーダーにおいて、座体と電気モジュールで構成され、
該座体はＵＳＢプラグ形式に符合する中空ケースと、該中空ケース後方に結合された挿入座を有し、該中空ケース内に電気モジュールを収容する収容空間があり、該挿入座に垂直に該収容空間に連通する挿入口が開設され、
該電気モジュールに該座体の該中空ケース内に位置決めされる回路板が設けられ、該回路板にＵＳＢ形式の第１接点セットが設けられ、該第１接点セットから離れた別側に第２接点セットが設けられ、該第２接点セットに該回路板に対して垂直方向を呈するコネクタが結合され、且つ該コネクタは該座体の該挿入口に対向し、該挿入口に垂直方向に挿入された外部電子カードと電気的接触を呈することを特徴とするカードリーダー。
【請求項２】
請求項１記載のカードリーダーにおいて、該中空ケースの後方の該挿入座に設けられた該挿入口は、外部電子カードを上から下、或いは下から上に挿入して該電気モジュールのコネクタに接続できる位置に設けられ、且つ該挿入口の内壁二側に外部電子カードの二側を保持可能な係止凸点が設けられ、該挿入座の一側に該中空ケースの後方を被覆する開口が設けられ、該開口の内壁面に該中空ケースの後方より凸伸する干渉アームを挿入して位置決めさせられる貫通溝が設けられたことを特徴とするカードリーダー。
【請求項３】
請求項１記載のカードリーダーにおいて、該電気モジュールのコネクタは該回路板の上表面或いは下表面に設置されて外部電子カードと接続されることを特徴とするカードリーダー。
【請求項４】
請求項１記載のカードリーダーにおいて、該電気モジュールのコネクタに挿入溝を具えた端子シートと、該挿入溝内に挿入されて位置決めされる接触端子セットを具え、該接触端子セットは該挿入溝内に位置し該回路板上の第２接点セットに圧接されるソルダー端を具え、該ソルダー端の末端に折り曲げ端が設けられて反対方向に折り曲げられて弾性屈伸する接触端が形成され、且つ該接触端が該挿入溝の一側に連通する開口溝内に位置して弾性屈伸可能とされ、この屈伸動作が該座体の挿入口のカード挿入経路に対応することを特徴とするカードリーダー。
【請求項５】
請求項１記載のカードリーダーにおいて、該電気モジュールの回路板の底部に絶縁フレームを具えた拡充装置が結合され、該絶縁フレーム及び該回路板の間に、相互に対応し接続可能な凸部と貫通孔が設けられ、該拡充装置は該挿入座に設けられるカード抜き取りブロックを具え、該カード抜き取りブロックに該挿入座内に位置して外部電子カードの前端を押圧するスライドブロックが凸設されたことを特徴とするカードリーダー。
【発明の詳細な説明】
【技術分野】
【０００１】
本発明は一種のカードリーダーに係り、特にＵＳＢプラグ形式に符合する中空ケース、及び、該中空ケース後方の、外部電子カードを垂直に挿入できる挿入座を有し、カードリーダーの小型化と、該カードリーダーと電子装置の接続に要する空間の有効利を達成し、広い適用性、良好な拡充性を有し、市場の要求に符合するカードリーダーに関する。
【背景技術】
【０００２】
現代のテクノロジーの進歩は多くのデジタル製品に不断の改良、進歩をもたらし、ならびに逐次デジタル化の時代に進入している。デジタル製品、例えば、デジタルテレビ、デジタルオーディオ設備、ＭＰ３プレイヤー、デジタルカメラ、電子辞書、ＰＤＡ、或いはその他の電子製品などの新製品が続々と出現している。多くのデジタル製品中、通常は、メモリカードによりデータの記録、データアクセス、記録データの更新等を行ない、さらに、カードリーダーによりメモリカード内部のデータを読み取るか或いは保存を行なう。しかし、使用を簡単とし、携帯に便利とするため、多くのデジタル製品は軽薄短小の方向に向けて設計され、このため内部の部品は体積を縮小する必要があり、このため、小型のメモリカードをデジタル製品に使用するために設計する必要が生じる。
【０００３】
現在、市販されているメモリカードにはＭＭＣ（Ｍｕｌｔｉ  Ｍｅｄｉａ  Ｃａｒｄ）、コンパクトフラッシュ（登録商標）カード、スマートメディア（登録商標）カード、メモリースティック（登録商標）カード、ＳＤ（登録商標）カード等の規格があり、且つ続々と体積が更に小さく、容量が大きいメモリカード、例えばミニＳＤ（登録商標）、マイクロＳＤ（登録商標）カード等が販売されている。
【０００４】
このほか、カードリーダーはメモリカードとコンピュータの間のインタフェースとされ、コンピュータのＵＳＢポートにカードリーダーを接続することでデータ伝送し、カードリーダーがプラグアンドプレイ方式で速やかにコンピュータにより読み取られる。しかし、現在市販されているカードリーダーの体積は比較的大きく、過多の場所を取り、且つ体積が大きすぎて携帯に不便であるほか、カードリーダー全体の重量も大きくなり、このためカードリーダーを直接ＵＳＢポートに挿入することはできず、別にＵＳＢケーブルを購入してカードリーダーとコンピュータ間を連接することで、伝送の目的を達成している。このため、コストがアップし、且つコンピュータ周囲のケーブルが益々多くなる欠点をもたらす。
【０００５】
さらに、一般にコンピュータのＵＳＢポートの開口方式はコンピュータのケーシングの内部の重畳式コネクタの上下のスロットに対応するよう設置され、このためＵＳＢポートがケーシング表面で上下に隣り合って配置されてＵＳＢプラグを具えた保存設備（例えばＵＳＢディスク、カードリーダー等）の挿入に供される。一般にこのような保存設備を上方のＵＳＢポートに接続するとき、下方のＵＳＢポートは該保存設備の体積に邪魔されて、別の保存設備を挿入できなくなるという問題が発生する。このため二つのＵＳＢポートに一度に一種類の保存設備しか接続できないという欠点がある。
【発明の開示】
【発明が解決しようとする課題】
【０００６】
ゆえに、如何に上述の従来の技術の欠点と不便な点を解決し、且つＵＳＢプラグを具えると共に外部メモリカードを挿入でき、軽薄短小であるカードリーダーを開発するかが、当業者の研究開発の方向である。
【課題を解決するための手段】
【０００７】
本発明は一種のカードリーダーを提供し、それは、座体と電気モジュールで構成され、該座体はＵＳＢプラグ形式に符合する中空ケースと、該中空ケース後方に結合された挿入座を有し、該中空ケース内に電気モジュールの収容空間があり、該挿入座に垂直に該収容空間に連通する挿入口が設けられ、該電気モジュールにＵＳＢ形式の第１接点セットを具えた回路板が設けられ、該第１接点セットから離れた別側に第２接点セットを有し、該第２接点セットに該回路板に対して垂直方向を呈するコネクタが結合され、且つ該コネクタは該座体の挿入口に対向して垂直方向に挿入された外部電子カードと電気的接触を呈する。
【０００８】
本発明はまた、一種のカードリーダーを提供し、それはカードリーダーの中空ケース内の回路板の下方に絶縁フレームを具えた拡充装置が結合され、且つ絶縁フレームは中空ケース内にあって、電子カードを挿入可能な挿入空間と、該電子カードの接点と電気的に接続する導電端子セットとを具え、これにより該中空ケース自身がＵＳＢプラグ形式に符合し電子カード収納の特性を有し、カードリーダーの空間を有効利用し、カードリーダーの体積を縮小し携帯に便利とする機能を有する。
【発明の効果】
【０００９】
本発明のカードリーダーは、小型化され、外部電子カードが垂直状態で挿入されることで電子装置との接続空間を有効利用でき、適用性が広く、拡充性が良好で市場の要求に符合する。
【発明を実施するための最良の形態】
【００１０】
図１、２、３、４は本発明の立体外観図、立体分解図、別角度の立体分解図及び局部拡大図である。これらの図から明らかであるように、本発明のカードリーダーは、座体１と電気モジュール２で構成されている。
【００１１】
該座体１はＵＳＢプラグ形式に符合する中空ケース１１と、該中空ケース１１後方に結合された挿入座１２を有し、該中空ケース１１内に電気モジュール２の収容空間１１０があり、別に該挿入座１２の一側に中空ケース１１後方を被覆する開口１２１が開設され、ならびに該挿入座１２に該開口１２１に連通する挿入口１２２が開設されている。
【００１２】
該電気モジュール２に座体１の中空ケース１１内に位置決めされる回路板２１が設けられ、且つ回路板２１にＵＳＢ形式に符合する第１接点セット２１１が設けられ、ならびに該第１接点セット２１１から離れた別側に第２接点セット２１２を有し、該第２接点セット２１２に該回路板２１に対して垂直方向を呈するコネクタ２２が結合され、且つ該コネクタ２２は挿入溝２２１１を具えた端子シート２２１、及び、該挿入溝２２１１内に挿入され位置決め可能な接触端子セット２２２を有し、該接触端子セット２２２は垂直に挿入溝２２１１を貫通するソルダー端２２２１を具え、ソルダー端２２２１の末端に折り曲げ端２２２２が設けられて、反対方向に折り返されて弾性を有する接触端２２２３が設けられ、該接触端２２２３は挿入溝２２１１の一側に連通する開放溝２２１２内で弾性屈伸動作可能で、この弾性屈伸動作は座体１の挿入口１２２の挿入経路に整合する。
【００１３】
上述の電気モジュール２の底部にさらに絶縁フレーム３１を具えた拡充装置３が結合され得る。且つ絶縁フレーム３１には導電端子セット３２が設けられ、該導電端子セット３２の一側のソルダー端３２１は回路板２１底面の接点に電気的に接続され、ならびに導電端子セット３２の別側は下向き斜めに延伸されて挿入空間３０内に位置する接触端３２２が形成されている。また、拡充装置３及び電気モジュール２の結合方式は、拡充装置３に複数の凸部３１１が回路板２１に該凸部３１１に対応するように設置された貫通孔２１４に位置決めされる方式が可能である。凸部３１１は絶縁フレーム３１の二側に外向きに突出して回路板２１の二側を被覆するものとされ得るが、回路板２１と絶縁フレーム３１を堅固に位置決めできる構造方式であればよい。
【００１４】
上述の構成要件を組み立てる時は、コネクタ２２の接触端子セット２２２のソルダー端２２２１を端子シート２２１の挿入溝２２１１中に挿入し、接触端子セット２２２の接触端２２２３を開放溝２２１２内に位置決めすれば、端子シート２２１の凸部２２１３を回路板２１の円孔２１３内に挿入でき、これによりコネクタ２２を安定して回路板２１上に垂直に立てることができ、ならびに回路板２１の第２接点セット２１２とコネクタ２２の接触端子セット２２２のソルダー端２２２１を電気的に接続させることができる。こうして、回路板２１底部に拡充装置３の絶縁フレーム３１を取り付けることができ、絶縁フレーム３１の凸部３１１を回路板２１の貫通孔２１４内に挿入すれば、回路板２１と絶縁フレーム３１の前側が、座体１の中空ケース１１の収容空間１１０内に挿入されて、絶縁フレーム３１の凸部３１１及び横置き片３１２が中空ケース１１にこれらに対応して設けられたスライドレール１１２、係合溝１１３内に係合する。こうして回路板２１と絶縁フレーム３１が中空ケース１１の収容空間１１０内に位置決めされ、且つ収容空間１１０内が上下の挿入空間３０に区画され、その後、中空ケース１１の後方より突出する干渉アーム１１１が挿入座１２の開口１２１に挿入され、干渉アーム１１１が開口１２１内の壁面にそれに対応して設置された貫通溝１２３に挿入されて圧接し、もともとスライドレール１１２に位置決めされていた絶縁フレーム３１の凸部３１１が貫通溝１２３下方の滑り溝１２４内に位置制限され、こうして挿入座１２が堅固に中空ケース１１後方に位置決めされ、且つ挿入座１２の開口１２１が中空ケース１１後方の外環面を被覆し、内部の電気モジュール２の回路板２１の第１接点セット２１１が中空ケース１１の収容空間１１０の前方に位置づけられ、後方のコネクタ２２は挿入座１２の挿入口１２２に近い挿入経路内に位置決めされ、ならびに挿入座１２に貫通孔１２５が開設されてカード抜き取りブロック３３に凸設されたスライドブロック３３１が嵌め込まれ、カード抜き取りブロック３３のスライドブロック３３１が挿入座１２内に位置決めされ且つ絶縁フレーム３１下方の挿入空間３０に接近し、こうして、本発明のカードリーダーの全体配置が完成する。
【００１５】
図２、５、６を参照されたい。これらは本発明の立体分解図、カード挿入時の立体外観図、及びカード挿入後の側面断面図である。これらの図に示されるように、本発明のカードリーダーは二つの電子カード４の挿入使用可能であり、第１電子カード４が垂直方向に座体１の挿入座１２の挿入口１２２内に挿入されて、電子カード４の接点４１がコネクタ２２の接触端子セット２２２の接触端２２２３に接触させられ、接触端２２２３は端子シート２２１の開放溝２２１２内で弾性屈伸し、ならびに電子カード４の接点４１上に保持される。挿入口１２２の内壁二側には電子カード４の二側を保持可能な係止凸点１２２１が設けられ、電子カード４が安定して挿入口１２２内に位置決めされて接触端子セット２２２と良好な電気的接続を呈し、並びに第２電子カード４が水平方向に座体１の中空ケース１１の前方開口より挿入可能で、第２電子カード４は順に拡充装置３の中空ケース１１内の下方の挿入空間３０に押し込まれ、電子カード４の接点４１が絶縁フレーム３１上の導電端子セット３２の接触端３２２に接触し、こうして座体１の中空ケース１１内に一つの電子カード４が収容され、座体１の挿入座１２内にも別の電子カード４が収納され、同時に二つの電子カード４を挿入して使用できるカードリーダーとされている。
【００１６】
もし、座体１の挿入座１２に挿入された電子カード４を抜き取る時は、作用力を電子カード４の二側に加えて上向きに抜き取れば、電子カード４の二側を挿入口１２２内の係止凸点１２２１の係止より離脱させられ、電子カード４の接点４１を挿入口１２２内のコネクタ２２の接触端子セット２２２の接触端２２２３の保持より離脱させて、電子カード４を挿入座１２の挿入口１２２外に抜き取ることができる。また、座体１の中空ケース１１の収容空間１１０内の電子カード４を抜き取りたい時は、座体１の挿入座１２に組み合わされたカード抜き取りブロック３３のスライドブロック３３１を挿入座１２の貫通孔１２５内でスライドさせ、並びに絶縁フレーム３１下方の挿入空間３０内に位置する電子カード４の前端を押圧して、電子カード４の後側を中空ケース１１の前方の開口外に露出させれば、電子カード４を中空ケース１１の収容空間１１０外に簡単に取り出すことができる。
【００１７】
上述の説明のコネクタ２２は回路板２１の上表面に位置決めされ、座体１の挿入座１２の挿入口１２２はコネクタ２２の上方に開設されて電子カード４の挿入に供される。しかし、本発明の設計はさらに、コネクタ２２を回路板２１の下表面に位置決め可能であり、これに対応して座体１の挿入座１２の挿入口１２２は下方に開設されて、電子カード４の挿入に供され、並びに挿入口１２２の内壁二側に電子カード４二側を係止できる係止凸点１２２１が凸設され、これにより電子カード４が下方の挿入口１２２より挿入される時に、堅固に位置決めして脱落させない（図２、７参照）。
【００１８】
さらに、図２、８、９に示されるように、本発明のカードリーダーを外部電子装置５のＵＳＢポート５１に挿入して使用する時、座体１の中空ケース１１の前方をＵＳＢポート５１に挿入してＵＳＢポート５１内のＵＳＢコネクタ５２と回路板２１の第１接点セット２１１を電気的に接続すれば、座体１内に接続された電子カード４のデータを外部電子装置５に伝送するか外部電子装置５からデータを電子カード４に伝送する双方向伝送効果を達成できる。
【００１９】
電子カード４を挿入座１２の上方の挿入口１２２内に挿入して、座体１と電子カード４にＬ形を形成させて外部電子装置５の上方のＵＳＢポート５１内に位置決めする時、外部電子装置５の下方のＵＳＢポート５１内には、前述の挿入座１２の挿入口１２２が下方に形成されて電子カード４が挿入されて、電子カード４と座体１が下向きの直角を呈するカードリーダーが挿入され、これにより、電子装置５の上方と下方のＵＳＢポート５１のそれぞれにカードリーダーが挿入使用される。しかし、この挿入使用方式は本発明の好ましい実施例の使用状態であって、それは電子カード４を上方或いは下方に垂直に挿入したカードリーダーを任意のＵＳＢコネクタを具えた電子製品と共に、電子装置５の上方と下方のＵＳＢポートに挿入使用できる。このような簡単な修飾及び同等の効果を有する構造変化であって、同じ機能を達成できるものは、いずれも本発明の請求範囲内に属する。
【００２０】
さらに中空ケース１１の後方に結合された挿入座１２の構造設計方式により、挿入座１２の挿入口１２２は上方或いは下方に形成されて電子カード４の挿入に供され、こうして、該挿入座１２自身は同一の型を使用して製造され、且つ挿入座１２と中空ケース１１を組み合わせる時に、モジュール化された組立方式により、挿入座１２の挿入口１２２を上方あるいは下方に形成し、中空ケース１１内の電気モジュール２のコネクタ２２も回路板２１の上表面或いは下表面に結合され、こうして適用性が広く、拡充性が良好で、市場の要求に符合する機能を達成する。
【００２１】
上述のカードリーダーに挿入される電子カード４はコンパクトフラッシュ（登録商標）カード、ＳＤ（登録商標）カード、ミニＳＤ（登録商標）カード、スマートメディア（登録商標）カード等の形式とされ得て、データの書込みと読み出しが可能である。また、電子装置５はデスクトップ型コンピュータ、ノートブック型コンピュータ、ＰＤＡ、或いはマルチファンクション事務機とされ得る。
【００２２】
カードリーダーの座体１の中空ケース１１はプラスチック一体射出成形され、並びに電気モジュール２の回路板２１の第１接点セット２１１が組み合わされてＵＳＢ形式のコネクタ（雄型或いは雌型とされ得る）とされる。さらに後方の挿入座１２に電子カード４の垂直方向の挿入位置決めに供される挿入口１２２が開設され、軽薄短小のカードリーダーの全体の体積が形成され、電子製品の小型化の理念に符合し、並びに携帯、使用に便利で、場所をとらないカードリーダーとされる。
【００２３】
上述の本発明のカードリーダーを実際に使用する時、以下のような各種の長所を有する。
（１）カードリーダー１の一側にＵＳＢ型式の中空ケース１１が設けられ、且つ内部の電気モジュール２の回路板２１にＵＳＢ型式に符合する第１接点セット２１１が設けられ、中空ケース１１の後方に結合された挿入座１２により、外部電子カード４が垂直に挿入口１２２内に挿入されて回路板２１後方のコネクタ２２と電気的に接続され、これにより本発明が小型化されたカードリーダー構造と、外部の電子カード４が垂直に挿入されることで電子装置５との接続の空間を有効利用し、適用性が広く、拡充性が良好で市場の要求に符合する効果を達成する。
（２）カードリーダーは中空ケース１１内の回路板２１の下方に絶縁フレーム３１を具えた拡充装置３が結合され、絶縁フレーム３１に中空ケース１１内で電子カード４が挿入され得る挿入空間３０と、電子カード４の接点４１と電気的に接触する導電端子セット３２が設けられ、中空ケース１１自身がＵＳＢプラグ型式に符合し、電子カード４を収納できる特性を有し、有効にカードリーダーの空間を利用し、カードリーダーの体積を縮小し、携帯に便利な機能を達成する。
【００２４】
以上は本発明の好ましい実施例の説明に過ぎず、本発明の請求範囲を限定するものではなく、本発明の明細書及び図面の内容に基づきなし得る簡易な修飾及び同じ効果を達成できる構造変化はいずれも本発明の請求範囲内に属する。
【図面の簡単な説明】
【００２５】
【図１】本発明の立体外観図である。
【図２】本発明の立体分解図である。
【図３】本発明の別角度の立体分解図である。
【図４】本発明の局部拡大図である。
【図５】本発明のカード挿入時の立体外観図である。
【図６】本発明のカード挿入後の側面断面図である。
【図７】本発明の別の実施例の側面断面図である。
【図８】本発明の別の実施例の使用時の側面断面図である。
【図９】本発明の別の実施例の使用時の立体表示図である。
【符号の説明】
【００２６】
１  座体
１１  中空ケース            １２１  開口
１１０  収容空間            １２２  挿入口
１１１  干渉アーム          １２２１  係止凸点
１１２  スライドレール      １２３  貫通溝
１１３  係合溝              １２４  滑り溝
１２  挿入座                １２５  貫通孔
２  電気モジュール
２１  回路板                ２２１１  挿入溝
２１１  第１接点セット      ２２１２  開放溝
２１２  第２接点セット      ２２１３  凸部
２１３  円孔                ２２２  接触端子セット
２１４  貫通孔              ２２２１  ソルダー端
２２  コネクタ              ２２２２  折り曲げ端
２２１  端子シート          ２２２３  接触端
３  拡充装置
３０  挿入空間              ３２１  ソルダー端
３１  絶縁フレーム          ３２２  接触端
３１１  凸部                ３３  カード抜き取りブロック
３１２  横置き片            ３３１  スライドブロック
３２  導電端子セット
４  電子カード
４１  接点
５  電子装置
５１  ＵＳＢポート          ５２  コネクタ
【図１】
0004817271.tif 000002
【図２】
0004817271.tif 000003
【図３】
0004817271.tif 000004
【図４】
0004817271.tif 000005
【図５】
0004817271.tif 000006
【図６】
0004817271.tif 000007
【図７】
0004817271.tif 000008
【図８】
0004817271.tif 000009
【図９】
0004817271.tif 000010